(57)【要約】【課題】  給紙トレイに対する紙種の設定を簡略化する。【解決手段】  印刷設定で指定されている記録紙の紙種と給紙トレイの紙種が一致しないときには、指定された紙種の記録紙に交換可能な給紙トレイの候補をリストアップし、複数の候補があるときには、給紙トレイの優先順位ないし紙種の優先順位などの予め設定された優先順位に基づいて、記録紙の交換を行う給紙トレイを選択する（ステップ１２０〜１２４）。この後、選択した給紙トレイへの記録紙の交換要求を表示し、この交換要求に基づいて、選択された給紙トレイに指定された記録紙が収容されて、確認ボタンが操作されると、選択した給紙トレイに対する紙種の設定を、印刷設定で指定されている紙種に変更する（ステップ１２６〜１３０）。【選択図】        図５
2006027846.tif 000002
【特許請求の範囲】
【請求項１】
印刷設定によって設定された紙種と一致する紙種が設定されている給紙トレイを選択して、該給紙トレイから取出した記録紙に画像を形成する画像形成装置であって、
前記給紙トレイに予め設定されている紙種と前記印刷設定で指定されている紙種と一致するか否かを判定する判定手段と、
前記判定手段によって不一致と判定されたときに前記給紙トレイに収容している前記記録紙の交換要求を表示する表示手段と、
前記表示手段の表示に基づいた操作がなされたか否かを検出する操作検出手段と、
前記処理検出手段によって前記表示手段の表示に基づいた操作がなされたと検出されたときに、前記給紙トレイに対する前記紙種の設定を前記印刷設定で指定された紙種に変更する設定変更手段と、
を含むことを特徴とする画像形成装置。
【請求項２】
前記操作検出手段が、前記表示手段上に前記交換要求と共に表示される入力手段の操作がなされたか否かを検出することを特徴とする請求項１に記載の画像形成装置。
【請求項３】
それぞれに前記記録紙を収容する複数の給紙トレイを備えているときに、前記印刷設定で指定された前記紙種の記録紙へ交換する給紙トレイを選択する選択手段を含み、前記表示手段が前記選択手段によって選択された前記給紙トレイへの記録紙の交換要求を表示すると共に、前記設定変更手段が前記選択手段によって選択された前記給紙トレイに対する紙種の設定変更を行うことを特徴とする請求項１又は請求項２の何れかに記載の画像形成装置。
【請求項４】
前記記録紙の交換ないし補給のための前記給紙トレイの抜き差しを検出する検出手段を含み、前記設定変更手段が、前記表示手段の表示に基づいて前記検出手段によって前記給紙トレイの引き出し及び装填を検出したときに、該給紙トレイに対する紙種の設定変更を行うことを特徴とする請求項１から請求項３の何れか１項に記載の画像形成装置。
【請求項５】
前記給紙トレイに設けられて給紙トレイに収容する記録紙の紙種に応じて給紙トレイ上での記録紙の紙種の表示を切り替え可能とする切換手段を含むときに、前記設定変更手段が、前記切換手段による前記給紙トレイ上での前記紙種の表示と前記印刷設定で指定された紙種が一致したときに、前記給紙トレイに対する紙種設定を変更することを特徴とする請求項１から請求項４の何れか１項に記載の画像形成装置。
【請求項６】
それぞれに記録紙を収容する複数の給紙トレイから、印刷設定によって設定された紙種と一致する紙種が設定されている給紙トレイを選択して、該給紙トレイから取出した記録紙に画像を形成する画像形成装置であって、
前記給紙トレイのそれぞれに対して予め設定されている紙種と前記印刷設定で指定されている紙種と一致するか否かを判定する判定手段と、
前記判定手段によって不一致と判定されたときに、予め設定されている優先順位に基づいて前記印刷設定で指定された紙種の前記記録紙に交換する前記給紙トレイを選択する選択手段と、
を含むことを特徴とする画像形成装置。
【発明の詳細な説明】
【技術分野】
【０００１】
本発明は、記録紙などのシート状の記録材料に形成する画像形成装置に係り、詳細には、給紙トレイごとに記録紙の紙種が設定される画像形成装置に関する。
【背景技術】
【０００２】
電子写真プロセスを用いて記録紙に画像データに応じた画像を形成する画像形成装置には、プリンタ、複写機、ファクシミリ或いはこれらの機能を併せ持つ複合機がある。
【０００３】
このような画像形成装置では、画像データに応じたトナー像を感光体ドラム上に形成し、中間転写体を介してトナー像を記録紙に転写する。この後に、画像形成装置では、トナー像を転写した記録紙を加圧しながら加熱することにより、トナー像を溶融させて記録紙に定着する。これにより、画像データに応じた画像を記録紙に形成するようにしている。
【０００４】
また、画像形成装置では、Ａ４、Ａ３サイズや、Ｂ５、Ｂ４サイズなどの各種サイズの記録紙への画像形成が可能となっており、ここから、画像形成装置には、それぞれに多数枚の記録紙を収容する複数の給紙トレイが設けられており、例えば、画像データ又は印刷指定に基づいたサイズの記録紙を収容する給紙トレイを選択し、選択した給紙トレイから記録紙を取りだして画像形成（印刷処理）を行うようにしている。
【０００５】
ところで、画像形成装置では、普通紙のみならず、ＯＨＰフィルム、薄紙や厚紙、上質紙や中質紙、コート紙、アート紙などへの各種の紙質の記録紙への画像形成が要求され、高品質の画像を形成するためには、例えば、用紙厚などの紙質に応じて定着温度などのパラメータ等の各種のパラメータを適切に設定する必要がある。
【０００６】
一般に、一つの給紙トレイには、同一サイズ、同一の紙質の記録紙が収容されることから、給紙トレイに収容した記録紙のサイズに合わせてガイドを移動することにより、画像形成装置では、このガイドの移動位置から、その給紙トレイに収容している記録紙のサイズを検知可能となっている。
【０００７】
また、画像形成装置では、ディスプレイに表示するＵＩを用いて給紙トレイごとの記録紙の紙種（紙質）の設定が可能となっており、これにより、紙質の異なる記録紙のそれぞれに高品質の画像形成が可能となるようにしている。
【０００８】
一方、印刷設定で紙質が指定されているときに該当する紙質の記録紙が収容されていないときがある。このような場合、記録紙のサイズのみを優先して画像を形成すると、所望の印刷物が得られないことがあり、ここから、印刷処理を中断して記録紙の装填を促すようにしている。
【０００９】
しかし、印刷処理を中断すると、稼動効率の低下を招くことから、用紙の種類を変更可能な多目的給紙カセット（給紙トレイ）を設け、収容されている紙質と異なる紙質などが指定された記録紙の使用が指定されているときには、該当する印刷ジョブを中断すると共に、多目的給紙カセットの使用を禁止して、該当する記録紙の装填を可能とすると共に、多目的給紙カセット以外の給紙カセットに収容している記録を用いた印刷処理の実行を許可するようにした画像形成装置が提案されている（例えば、特許文献１参照。）。
【００１０】
しかしながら、給紙トレイごとの紙種の設定を変更するためには、給紙トレイを選択して各種の設定を行う必要がある。このときに、新たな紙種に設定可能な給紙トレイが複数あると、画像形成装置を使用するユーザーが意図する給紙トレイが表示されない場合がある。
【００１１】
また、給紙トレイに対して紙質を設定する作業は、例えば、システム設定メニューから階層を追って、給紙トレイごとのトレイ属性設定メニューを表示し、このトレイ属性設定メニュー上で行わなければならず、今までと異なる紙種の記録紙を継続して使用したときには、その設定操作が極めて煩わしいという問題がある。
【特許文献１】特開２００２−１９０８８７号公報
【発明の開示】
【発明が解決しようとする課題】
【００１２】
本発明は上記事実に鑑みてなされたものであり、給紙トレイに設定されているか紙種の変更を行うときに、変更作業をスムーズにかつ簡単に行うことができる画像形成装置を提案することを目的とする。
【課題を解決するための手段】
【００１３】
上記目的を達成するために本発明は、印刷設定によって設定された紙種と一致する紙種が設定されている給紙トレイを選択して、該給紙トレイから取出した記録紙に画像を形成する画像形成装置であって、前記給紙トレイに予め設定されている紙種と前記印刷設定で指定されている紙種と一致するか否かを判定する判定手段と、前記判定手段によって不一致と判定されたときに前記給紙トレイに収容している前記記録紙の交換要求を表示する表示手段と、前記表示手段の表示に基づいた操作がなされたか否かを検出する操作検出手段と、前記処理検出手段によって前記表示手段の表示に基づいた操作がなされたと検出されたときに、前記給紙トレイに対する前記紙種の設定を前記印刷設定で指定された紙種に変更する設定変更手段と、を含むことを特徴とする。
【００１４】
この発明によれば、記録紙に画像を形成する印刷処理を行うときの印刷設定で指定されている紙種が給紙トレイに設定されていないときに、給紙トレイへの記録紙の交換要求を表示する。
【００１５】
この交換要求に基づいて所定の操作がなされたか否かを確認し、所定の操作がなされたときには、給紙トレイの記録紙の交換が行われたと判断して、設定変更手段が、給紙トレイに対する紙種の設定を印刷設定で指定された紙種に変更する。
【００１６】
これにより、階層を追って設定メニューを表示し、給紙トレイに対する紙種の設定変更作業を行うことなく、簡単に給紙トレイに対する紙種の恒久的な設定が可能となる。
【００１７】
このような本発明においては、前記操作検出手段が、前記表示手段上に前記交換要求と共に表示される入力手段の操作がなされたか否かを検出する構成を取り得る。すなわち、表示手段に用紙の交換要求と共に、確認ボタンなどの入力手段を表示するなどして、入力手段によって交換要求を確認したことが入力されたときには、表示に基づいた用紙の交換を行ったと判断するようにしても良い。
【００１８】
また、本発明は、それぞれに前記記録紙を収容する複数の給紙トレイを備えているときに、前記印刷設定で指定された前記紙種の記録紙へ交換する給紙トレイを選択する選択手段を含み、前記表示手段が前記選択手段によって選択された前記給紙トレイへの記録紙の交換要求を表示すると共に、前記設定変更手段が前記選択手段によって選択された前記給紙トレイに対する紙種の設定変更を行うことを特徴とする。
【００１９】
この発明によれば、記録紙の交換可能な給紙トレイが複数あるときに、記録紙の交換を行う給紙トレイを選択する選択手段を設けている。これにより、記録紙を交換する給紙トレイを選択する煩わしさを解消することができるようにしている。
【００２０】
また、本発明は、前記記録紙の交換ないし補給のための前記給紙トレイの抜き差しを検出する検出手段を含み、前記設定変更手段が、前記表示手段の表示に基づいて前記検出手段によって前記給紙トレイの引き出し及び装填を検出したときに、該給紙トレイに対する紙種の設定変更を行うことを特徴とする。
【００２１】
この発明によれば、記録紙の交換のための給紙トレイの抜き差しを検出したときに、紙種の設定変更を行うので、確実な各種の設定変更が可能となる。
【００２２】
さらに、本発明は、前記給紙トレイに設けられて給紙トレイに収容する記録紙の紙種に応じて給紙トレイ上での記録紙の紙種の表示を切り替え可能とする切換手段を含むときに、前記設定変更手段が、前記切換手段による前記給紙トレイ上での前記紙種の表示と前記印刷設定で指定された紙種が一致したときに、前記給紙トレイに対する紙種設定を変更することを特徴とする。
【００２３】
この発明によれば、給紙トレイ上での紙種の表示が変更されたときに、給紙トレイに対して設定する紙種の設定変更を行うので、より的確な紙種の設定が可能となる。
【００２４】
さらに、本発明は、それぞれに記録紙を収容する複数の給紙トレイから、印刷設定によって設定された紙種と一致する紙種が設定されている給紙トレイを選択して、該給紙トレイから取出した記録紙に画像を形成する画像形成装置であって、前記給紙トレイのそれぞれに対して予め設定されている紙種と前記印刷設定で指定されている紙種と一致するか否かを判定する判定手段と、前記判定手段によって不一致と判定されたときに、予め設定されている優先順位に基づいて前記印刷設定で指定された紙種の前記記録紙に交換する前記給紙トレイを選択する選択手段と、を含むことを特徴とする。
【００２５】
この発明によれば、印刷設定で指定された紙種に交換する給紙トレイを、予め設定された優先順位に基づいて設定する。このときに、予め任意の方法で優先順位を設定しておくことにより、意図する給紙トレイに指定した紙種の記録紙を装填することができる。
【００２６】
なお、給紙トレイを選択するときには、例えば、印刷設定で指定されているサイズの記録紙を収容可能な給紙トレイの中から、優先順位に基づいて、一つの給紙トレイを選択するものであれば良い。
【００２７】
また、給紙トレイを選択するときの優先順位は、給紙トレイの間で設定する優先順位を用いても良く、給紙トレイごとの紙種の設定と紙種の間で設定する優先順位を用いても良く、これらの優先順位の組合せを用いても良い。
【００２８】
給紙トレイないし紙種の優先順位を用いるときには、優先順位が最上位となる給紙トレイを選択しても良く、また、優先順位が最下位となる給紙トレイが選択されるようにしても良い。
【００２９】
さらに、給紙トレイを選択するときに用いる優先順位は、給紙トレイの位置（上下位置）や収容可能な記録紙の量などを用いることもできる。
【発明の効果】
【００３０】
以上説明したように本発明によれば、表示手段に表示する記録紙の交換要求に対する確認を入力する簡単な操作で、給紙トレイに対する紙種の設定を変更することができるという効果が得られる。
【００３１】
また、本発明では、予め設定している優先順位に基づいて記録紙を交換する給紙トレイを選択するので、意図する給紙トレイを印刷設定で指定した紙種に変更することができる。
【発明を実施するための最良の形態】
【００３２】
以下に図面を参照しながら本発明の実施の形態を説明する。図１には、本実施の形態に適用した画像形成装置１０の概略構成を示している。なお、画像形成装置としては、プリンタ、複写機、ファクシミリ或いはこれらの機能を併せ持つ複合機などの適用が可能であるが、以下では、これらの基本的機能を備えたプリンタを例に説明する。
【００３３】
画像形成装置１０は、画像形成に用いる記録紙１２が装填される給紙部１４、電子写真プロセスによって記録紙１２に画像を形成するプリントエンジン（画像形成部）１６及び、記録紙１２の搬送を担う搬送部１８によって形成されている。
【００３４】
プリントエンジン１６は、感光体ドラム２０が設けられた現像モジュール２２及び、レーザービーム等を用いたＲＯＳ（Raster Optical Scanner）等の露光手段（図示省略）を備えており、帯電器等を用いて感光体ドラム２０の表面を均一に帯電させた後に、画像データに応じてレーザービームを走査して露光することにより感光体ドラム２０上に静電潜像を形成し、トナー現像を施すことにより画像データに応じたトナー像（例えば黒（Ｋ）色のトナー像）を形成する。
【００３５】
プリントエンジン１６には、感光体ドラム２０に対向して転写ベルト２４が設けられており、給紙部１４から供給（給紙）される記録紙１２を感光体ドラム２０と転写ベルト２４によって挟持する。このときに、プリントエンジン１６では、記録紙１２と感光体ドラム２０に形成したトナー像を重ねながら記録紙１２を感光体ドラム２０と転写ベルト２４によって挟持する。これにより、記録紙１２は、感光体ドラム２０上のトナー像が転写されながら送り出される。
【００３６】
なお、本実施の形態では、プリントエンジン１６として例えば、黒（Ｋ）色のトナーを用いた単色画像を形成するようにしているが、プリントエンジン１６としては、カラー画像の形成が可能なものであっても良い。
【００３７】
このときには、Ｋ色に加えて、Ｙ（イエロー）、Ｍ（マゼンタ）Ｃ（シアン）の各色の現像モジュールを用い、印刷用として入力される画像データ（カラー画像データ）を、ＲＩＰ処理することによりＹ、Ｍ、Ｃ、Ｋの各色成分のデータ（ラスタデータ）を生成し、それぞれのラスタデータを用いて、感光体ドラムを走査露光すると共に、Ｙ、Ｍ、Ｃ、Ｋの各色のトナーを用いてＹ、Ｍ、Ｃ、Ｋの各色のトナー像を形成し、これらのトナー像を中間転写体に重畳しながら転写するか、直接、記録紙１２に重畳しながら転写して、フルカラーのトナー像を形成するものであれば良い。
【００３８】
プリントエンジン１６には、定着モジュール（定着器）２６が設けられている。この定着モジュール２６は、図示しないヒータによって所定の温度に加熱された定着ローラ２８を備えており、トナー像が転写された記録紙１２を、定着ローラ２８によって挟持することにより加圧しながら加熱する。
【００３９】
これにより、トナーが溶融して記録紙１２に定着され、画像データに応じた画像が記録紙１２に形成される。
【００４０】
一方、給紙部１４には、それぞれに多数枚の記録紙１２を積層して収容可能とする複数の給紙トレイ３０を備えている。なお、本実施の形態では、比較的小サイズの記録紙１２を収容する給紙トレイ３０Ａ、３０Ｂと、比較的大きいサイズの記録紙１２まで収容が可能となっている給紙トレイ３０Ｃ、３０Ｄを設けている（以下、総称するときには、給紙トレイ３０とする）。なお、給紙トレイ３０の数及び収容可能な記録紙１２のサイズはこれに限るものではない。
【００４１】
給紙トレイ３０には、取出しローラ及びフィードローラが設けられており取出しローラによって最上層の記録紙１２を取出し、この記録紙１２をフィードローラによって給紙トレイ３０から送り出す。
【００４２】
搬送部１８は、給紙トレイ３０のそれぞれから送り出された記録紙１２をプリントエンジン１６の感光体ドラム２０と転写ベルト２４の間へ搬送する給紙用搬送路３２、定着モジュール２６から送り出される記録紙１２を、画像形成装置１０外へ向けて案内搬送する排紙用搬送路３４を備えている。
【００４３】
給紙トレイ３０から送り出される記録紙１２は、給紙用搬送路３２に沿って搬送されてプリントエンジン１６へ給紙される。なお、給紙用搬送路３２には、感光体ドラム２０の手前側の所定位置にレジローラ３６が設けられており、レジローラ３６によって、記録紙１２を、感光体ドラム２０へのトナー像の形成に同期したタイミングで送り出す。これにより、記録紙１２にトナー像が重ねられるようになっている。
【００４４】
画像が形成されて定着モジュール２６から送り出される記録紙１２は、排紙用搬送路３４に沿って搬送されることにより、例えば、図示しない排紙トレイ上に排出される。なお、画像形成装置１０には、各種の後処理を行う後処理装置を設けることができ、このときには、記録紙１２が排紙用搬送路３４に沿って搬送されることにより後処理装置へ送り込まれる。
【００４５】
画像形成装置１０には、切換部３８、反転部４０及び両面用搬送路４２が設けられている。切換部３８は、定着モジュール２６から送り出された記録紙１２の搬送方向を切換えて反転部４０へ案内する。これにより反転部４０へ送り込まれた記録紙１２が排紙用搬送路３４へ戻されることにより、画像形成装置１０から送り出される記録紙１２の画像形成面を反転することができる。
【００４６】
また、両面用搬送路４２は、反転部４０と給紙用搬送路３２を連結しており、記録紙１２は、反転部４０から両面用搬送路４２を経て給紙用搬送路３２へ送り込まれることにより、再度の画像形成が可能となる。このときに、記録紙１２の上下面が反転されることにより、画像形成装置１０では、記録紙１２の両面への画像形成（両面印刷）が可能となっている。
【００４７】
一方、図２に示すように、画像形成装置１０には、画像処理部５０及び、装置の作動を制御するプリントコントローラ５２が設けられている。画像形成装置１０では、図示しないネットワークインターフェイス等を介して、パーソナルコンピュータやワークステーション等の画像処理端末と接続され、この画像処理端末から記録紙１２に形成する画像データと共に、各種の印刷設定を含む印刷ジョブが入力される。
【００４８】
画像処理部５０では、印刷ジョブが入力されると、印刷ジョブの画像データに対して印刷設定に基づいた画像処理を行うと共に、ＲＩＰ処理を行う。
【００４９】
プリントコントローラ５２には、給紙部１４、プリントエンジン１６及び搬送部１８に設けられている各種のデバイス及びセンサが接続されており、プリントコントローラ５２は、各種のセンサの検出結果に基づいて各種のデバイスの作動を制御することにより、印刷ジョブの印刷設定に基づいた記録紙１２への画像形成処理を制御する。
【００５０】
なお、画像形成装置１０は、これに限らず、電子写真プロセスによって記録紙１２に画像を形成する任意の構成を適用することができる。
【００５１】
ところで、画像形成装置１０には、例えば図示しないケーシングの上部に操作パネル５４が設けられている。この操作パネル５４は、各種の情報を表示するディスプレイと共に、ディスプレイの表示に基づいたキー入力が可能となっている。なお、このような操作パネル５４としては、例えば、ディスプレイと操作キーが一体となったタッチパネルなどを用いることができる。
【００５２】
操作パネル５４は、プリントコントローラ５２に接続している。画像形成装置１０では、各種のＵＩ（ユーザーインターフェイス）を操作パネル５４に表示し、このＵＩを用いて各種の設定や設定情報の確認が可能となっている。プリントコントローラ５２には、このＵＩが記憶されており、このＵＩを用いた各種の設定情報の表示、設定の入力が可能となっている。また、プリントコントローラ５２では、入力された設定情報を記憶し、記憶している設定情報に基づいた各種のデバイスの制御を行うようになっている。
【００５３】
一方、画像形成装置１０では、ケーシングから給紙トレイ３０を引き出すことにより、記録紙１２の補給が可能となっており、引き出した給紙トレイ３０を装置内部の所定位置まで押し込むことにより記録紙１２が装填される。
【００５４】
この給紙トレイ３０には、収容する記録紙１２の周縁部（例えば給紙トレイ３０から記録紙１２を送り出すときの送り出し方向に沿った一端側及び送り出し方向と直交する方向に沿った一端側）に対向する記録紙ガイド（図示省略）が設けられており、記録紙１２を収容するときに、所定位置に配置した記録紙１２の周縁部に記録紙ガイドを当接させる一般的構成となっている。
【００５５】
また、給紙トレイ３０には、記録紙ガイドの移動位置に応じて奥面側に設けられている図示しないサイズ検知用の突部のパターンが変化する。
【００５６】
一方、給紙部１４には、給紙トレイ３０のそれぞれに対してサイズ検知用のセンサ５６が設けられている。このセンサ５６は、給紙トレイ３０が装填されたときに、給紙トレイ３０に設けているサイズ検知用の突部のパターンに対向するようになっており、例えば、センサ５６を用いて検出する複数の突部のパターン上での位置の組合せから、給紙トレイ３０に収容されている記録紙１２のサイズの判定が可能となるようにしている。
【００５７】
給紙トレイ３０のそれぞれに対向するセンサ５６は、プリントコントローラ５２に接続しており、プリントコントローラ５２は、このセンサ５６によって各給紙トレイ３０が装填されているか否かの検知と共に、給紙トレイ３０に収容されている記録紙１２のサイズ検知（サイズ認識）を行うようになっている。
【００５８】
これにより、プリントコントローラ５２では、印刷ジョブの印刷設定で記録紙１２のサイズが指定されていると、該当するサイズの記録紙１２を収容している給紙トレイ３０を選択し、選択した給紙トレイ３０から取出した記録紙１２に画像を形成する。
【００５９】
また、画像形成装置１０では、コート紙、非コート紙は勿論、普通紙、厚紙、薄紙、上質紙、再生紙、色紙、ＯＨＰ用紙などの紙質ないし紙種（以下、総称して「紙種」とする）の異なる記録紙１２への画像形成が可能となっている。このとき、プリントコントローラ５２では、各デバイスの作動制御を行うときに、記録紙１２の紙種に応じたパラメータが設定されており、紙種に応じたパラメータを選択してデバイス制御を行うことにより、紙種の異なる記録紙１２のそれぞれに高品質の画像形成が可能となるようにしている。
【００６０】
画像形成装置１０では、給紙トレイ３０ごとに、収容する記録紙１２の紙種が設定されており、プリントコントローラ５２は、印刷ジョブで記録紙１２の紙種が指定されていると、指定された紙種の記録紙１２を収容している給紙トレイ３０を選択して、選択した給紙トレイ３０から記録紙１２の給紙を行うようにしている。
【００６１】
また、画像形成装置１０では、複数の給紙トレイ３０が設けられていることにより、サイズが同じでも紙種の異なる記録紙１２や、紙種が同じでサイズの異なる記録紙１２、紙種及びサイズの同じ記録紙１２等の装填が可能となっており、このために、印刷処理を行うときに複数の給紙トレイ３０が選択可能となることがある。
【００６２】
ここから、画像形成装置１０では、給紙トレイ３０に対する優先順位及び、紙種に対する優先順位が設定されている。表１には、一例として給紙トレイ３０の優先順位を示している。
【００６３】
【表１】
2006027846.tif 000003
【００６４】
プリントコントローラ５２では、印刷ジョブを実行するときに、複数の給紙トレイ３０が選択されるときには、例えば、優先順位の高い給紙トレイ３０ないし、優先順位の高い紙種を収容している給紙トレイ３０を選択する。
【００６５】
プリントコントローラ５２では、所定のＵＩを用いることにより、給紙トレイ３０の優先順位及び、紙種の優先順位が設定可能となっており、優先順位が設定されていることにより、設定された優先順位を記憶して保持するようにしている。
【００６６】
一方、プリントコントローラ５２では、印刷ジョブで指定されている紙種の記録紙１２が給紙トレイ３０の何れにも収容されていないときには、何れかの給紙トレイ３０を選択して、指定されている紙種の記録紙１２の装填を促す表示を、操作パネル５４に表示するようにしている。
【００６７】
このとき、コントローラ５２では、予め設定されているＵＩに基づいた表示を行うようになっており、図３には、そのときの表示パネル５４の表示の一例を示している。
【００６８】
この表示画面６０では、選択された給紙トレイ３０と、その給紙トレイ３０へ装填する紙種が明確となるように表示する。また、この表示画面６０には、確認ボタン６２が設けられており、この確認ボタン６２を操作（押下ないしタッチ操作）することにより、プリントコントローラ５２では、選択した給紙トレイ３０に、指定された紙種の記録紙１２が装填されたと判断する。
【００６９】
また、プリントコントローラ５２では、センサ５６を用いることより、選択した給紙トレイ３０の抜き差しが行われたか否かを確認が可能となっており、プリントコントローラ５２では、選択した給紙トレイ３０の抜き差しが終了することにより、該当する給紙トレイ３０（選択した給紙トレイ３０）に、指定された紙種の記録紙１２が装填された判断する。
【００７０】
一方、コントローラ５２では、表示画面６０での確認操作（確認ボタン６２の操作）が行われることにより、該当する給紙トレイ３０の紙種の設定を変更するようにしている。
【００７１】
これにより画像形成装置１０では、階層を追いながら操作パネル５４にＵＩを表示して、給紙トレイ３０の紙種設定を行うことなく、該当する給紙トレイ３０に対する紙種を、新たな紙種に設定変更できるようにしている。
【００７２】
このように構成されている画像形成装置１０では、印刷ジョブが入力されることにより、印刷設定を行うと共に、印刷ジョブの画像データに対して画像処理及びＲＩＰ処理を行い、ＲＩＰ処理して生成したデータ（ラスタデータ）に基づいて感光体ドラム２０を露光し、記録紙１２に画像を形成する。
【００７３】
ところで、画像形成装置１０で、印刷設定で指定されている記録紙１２のサイズ及び紙種に基づいて、該当するサイズ及び紙種の記録紙１２を収容している給紙トレイ１２を選択し、選択した給紙トレイ３０から記録紙１２を取出し、取出した記録紙１２に画像を形成する。
【００７４】
図４には、このときの給紙トレイ３０の選択処理の概略を示している。このフローチャートは、印刷ジョブが入力されると、この印刷ジョブに対する印刷処理に先立って実行され、最初のステップ１００では、印刷ジョブから記録紙１２のサイズの指定を読込み、次のステップ１０２では、印刷ジョブから記録紙１２の紙種の指定を読み込む。
【００７５】
この後、ステップ１０４では、各給紙トレイ３０に収容されている記録紙１２のサイズと、給紙トレイ３０ごとの紙種の設定を照合し、ステップ１０６では、収容している記録紙１２のサイズ及び設定されている紙種が、印刷設定の指定と一致する給紙トレイ３０があるか否かを確認する。
【００７６】
ここで、サイズ及び紙種の一致する給紙トレイ３０があると、ステップ１０６で肯定判定してステップ１０８へ移行し、一致する給紙トレイ３０は複数か否かを確認し、一致する給紙トレイ３０が一つであるときには、ステップ１０８で否定判定してステップ１１０へ移行し、一致する給紙トレイ３０を、記録紙１２の取出しに用いる給紙トレイ３０に選択する。
【００７７】
また、サイズ及び紙種が一致する給紙トレイ３０が複数あるときには、ステップ１０８で肯定判定してステップ１１２へ移行し、予め設定されている優先順位（例えば、給紙トレイ３０の間で設定されている優先順位）に基づいて優先順位の高い給紙トレイ３０を、記録紙１２の取出しに用いる給紙トレイ３０として選択する。
【００７８】
画像形成装置１０に設けているプリントコントローラ５２では、このようにして給紙トレイ３０を選択すると、選択した給紙トレイ３０から取出した記録紙１２への画像形成処理を実行する。
【００７９】
一方、印刷ジョブの印刷設定して指定されている記録紙１２のサイズ及び紙種、特に紙種が一致する記録紙１２を収容している給紙トレイ３０がないときがある。このときには、ステップ１０６で否定判定してステップ１１４へ移行し、印刷設定の指定と一致する記録紙１２の装填要求を行い、要求に応じて記録紙１２が装填されたときには、該当記録紙１２が装填された給紙トレイ３０を、記録紙１２の取出しに用いる給紙トレイ３０として選択する（ステップ１１６）。
【００８０】
図５には、記録紙１２の交換要求処理の概略を示している。このフローチャートは、図４のフローチャートのステップ１１４へ移行することにより実行され、最初のステップ１２０では、印刷設定で指定されているサイズ及び紙種の記録紙１２を、現在の記録紙１２と交換して装填可能な給紙トレイ３０をリストアップする。このときには、例えば、紙種が異なるがサイズの一致する記録紙１２を収容している給紙トレイ３０や、指定されたサイズの記録紙１２を収容可能な給紙トレイ３０を選択するなどを適用することができる。
【００８１】
次のステップ１２２では、指定された記録紙１２に交換可能な給紙トレイ３０が複数あるか否かを判定し、指定された記録紙１２への交換可能な給紙トレイ３０が複数あるときには、ステップ１２２で肯定判定してステップ１２４へ移行する。
【００８２】
このステップ１２４では、複数の給紙トレイ３０の中から、記録紙１２の交換を行う給紙トレイ３０の選択を行う。プリントコントローラ５２では、複数の給紙トレイ３０の間で、指定された記録紙１２に交換する給紙トレイ３０を選択するときの選択方法が予め設定されて記憶されており、プリントコントローラ５２は、この設定された選択方法に基づいて、記録紙１２の交換を行う給紙トレイ３０を選択する。
【００８３】
このときの給紙トレイ３０の選択方法としては、給紙トレイ３０の間で設定されている優先順位を用いることができる。また、給紙トレイ３０の選択方法としては、それぞれの給紙トレイ３０に設定されている紙種に基づいて、紙種の優先順位を用いることができ、また、給紙トレイ３０の優先順位及び紙種の優先順位を合わせて選択する方法を適用することができる。
【００８４】
給紙トレイ３０の間での優先順位に基づいて給紙トレイ３０を選択するときには、優先順位の高い給紙トレイ３０を、新たな紙種の記録紙１２用の給紙トレイ３０として選択することができ、また、逆に優先順位の低い給紙トレイ３０を、記録紙１２の交換を行う給紙トレイ３０として選択するものであっても良い。
【００８５】
図６（Ａ）には、給紙トレイ３０の優先順位の設定を用いた選択処理の一例を示している。このフローチャートでは、ステップ１４０でリストアップした給紙トレイ３０のそれぞれに設定している優先順位を読み込み、次のステップ１４２では、給紙トレイ３０の間で優先順位の比較を行う。
【００８６】
この後に、ステップ１４４では、比較結果に基づいて優先順位の最上位（又は最下位）の給紙トレイ３０を記録紙１２の交換を行う給紙トレイ３０として選択する。
【００８７】
また、紙種の優先順位に基づいて給紙トレイ３０を選択するときには、現在の設定の紙種の優先順位が高い給紙トレイ３０を、新たな紙種の記録紙１２用の給紙トレイ３０として選択することができ、また、逆に優先順位の低い紙種に設定されている給紙トレイ３０を、記録紙１２の交換を行う給紙トレイ３０として選択するものであっても良い。
【００８８】
図６（Ｂ）には、紙種の優先順位の設定に基づいた選択処理の概略を示しており、このフローチャートでは、ステップ１５０で、リストアップした給紙トレイ３０の紙種設定を読み込み、ステップ１５２では、紙種に対する優先順位の設定を読み込む。
【００８９】
この後、ステップ１５４では、紙種の間での優先順位を比較し、この比較結果に基づいてステップ１５６では、優先順位の最上位（最下位）の紙種が設定されている給紙トレイ３０を選択する。
【００９０】
さらに、例えば、給紙トレイ３０の間で設定している優先順位が同じ給紙トレイ３０に対しては、給紙トレイ３０に設定されている紙種の優先順位に基づいて選択しても良く、また、紙種の同じ給紙トレイ３０であるときには、給紙トレイ３０の間で設定されている優先順位に基づいて選択するものであっても良い。
【００９１】
また、給紙トレイ３０の選択方法とでは、画像形成装置１０での給紙トレイ３０の位置を用いることができる。すなわち、図１に示すように、給紙トレイ３０は、上下に積み重ねられた状態で配置されており、ここから、上段側の給紙トレイ３０を、新たな紙種の記録紙１２に交換する給紙トレイ３０として選択するようにしても良く、また、逆に下段側の給紙トレイ３０を選択するようにしても良い。上段側の給紙トレイ３０が選択されるようにすることにより、記録紙１２の交換作業が容易となり、また、頻繁に記録紙１２の補給が行われることがないようなときには、下段側の給紙トレイ３０が選択されるようにすればよい。
【００９２】
さらに、給紙トレイ３０Ａ、３０Ｂのように上下位置が同じ給紙トレイ３０の間では、例えば、記録紙１２の収容量に基づいて給紙トレイ３０を選択されるものであっても良い。すなわち、交換する紙種の記録紙１２が多量に使用されるときには、収容量の大きい給紙トレイ３０（例えば給紙トレイ３０Ｂ）が選択されるようにすればよく、また、使用量が少なめであれば、比較的収容量の少ない給紙トレイ（例えば給紙トレイ３０Ａ）が選択されるようにすればよい。
【００９３】
このような給紙トレイ３０を選択するときの設定は、前記した如く、予め設定されていれば良く、また、このような選択条件の設定は、画像形成装置１０上で、操作パネル５４のディスプレイに所定のＵＩを表示して、システム動作設定として行うものであっても良く、また、画像形成装置１０が接続される画像処理端末上で、所定のドライバ（ドライバソフト）を用いて設定するものであっても良い。
【００９４】
これにより、画像形成装置１０を利用するユーザーが、意図する給紙トレイ３０が選択されるようにできる。
【００９５】
図５のフローチャートでは、ステップ１２４で記録紙１２の交換を行う給紙トレイ３０を選択すると、ステップ１２６へ移行して、選択した給紙トレイ３０への記録紙１２の交換を促すメッセージ（図３に示す表示画面６０）を、操作パネル５４のディスプレイに表示する。なお、給紙トレイ３０の候補が一つであるときには、ステップ１２２で否定判定し、その給紙トレイ３０を選択した給紙トレイとしてステップ１２６へ移行する。
【００９６】
これにより、印刷ジョブを依頼したユーザーや、画像形成装置１０の操作管理者が、記録紙１２の交換が必要であることを明確に確認することができる。
【００９７】
次のステップ１２８では、表示画面６０に設けた確認ボタン６２が操作されたか否かを確認する。
【００９８】
ここで操作パネル５６の表示によって、記録紙１２の交換が必要であると判断し、選択された給紙トレイ３０を引き出し、引き出した給紙トレイ３０の記録紙１２を指示されている紙種の記録紙１２に交換して、給紙トレイ３０を装填した後、確認ボタン６２が操作されると、ステップ１２８で肯定判定してステップ１３０へ移行する。
【００９９】
このステップ１３０では、選択した給紙トレイ３０に登録する紙種を、今回の印刷ジョブで指定されている紙種、すなわち、新たに給紙トレイ３０に装填した記録紙１２の紙種に設定する。
【０１００】
このようにして、印刷ジョブの印刷設定で指定されているサイズ及び紙種の記録紙１２が装填されると、図４のフローチャートでは、ステップ１１６へ移行して、記録紙１２を交換した給紙トレイ３０を選択して印刷ジョブが実行されるようにする。
【０１０１】
このように、画像形成装置１０では、印刷ジョブの印刷設定に合わせたサイズ及び紙種の記録紙１２に画像を形成するときに、指定されている紙種の記録紙１２が装填されていなければ、指定された記録紙１２の装填を促す。このとき、記録紙１２を装填する給紙トレイ３０を的確に選択して指定することにより、円滑な記録紙１２の交換が可能となる。
【０１０２】
また、画像形成装置１０では、異なる紙種の記録紙１２に交換したときに、該当する給紙トレイ３０に対する紙種の設定を変更する。このときに、画像形成装置１０では、操作パネル５６に給紙トレイ３０に対する属性を設定するメニューを表示せず、操作パネル５６に表示した記録紙１２の交換メッセージ（表示画面６０）上に設けた確認ボタン６２の操作のみで、紙種の設定変更を行うため、紙種の設定変更が極めて容易となる。
【０１０３】
また、給紙トレイ３０に対する紙種の設定を変更するので、変更した紙種の記録紙１２を引き続き使用することができる。これにより、使用する紙種を変更するときにも、給紙トレイ３０に対する設定変更が極めて容易となる。
【０１０４】
なお、以上の説明では、表示画面６０に設けた確認ボタン６２の操作によって紙種の設定変更を行うようにしたが、設定変更を実行するためのキー（条件）は、これに限るものではなく、例えば、実際の記録紙１２の交換によって生じる給紙トレイ３０の引き出し及び再装填によって紙種の設定変更を行うようにしても良い。
【０１０５】
図７には、このときの処理の概略を示している。なお、図７のフローチャートにおいて、図５のフローチャートと同一の処理には、同一のステップ番号を付与して、その説明を省略する。
【０１０６】
このフローチャートでは、ステップ１２６で記録紙１２の交換を要求するメッセージを表示するとステップ１３２へ移行する。このステップ１３２では、記録紙１２の交換のために給紙トレイ３０が引き出されて、センサ５６がオフしたか否かを確認し、給紙トレイ３０が引き出されてセンサ５６がオフすると、ステップ１３２で肯定判定してステップ１３４へ移行し、今度は、センサ５６がオンしたか否かを確認する。
【０１０７】
これにより、記録紙１２の交換のために引き出された給紙トレイ３０が、指定された紙種の記録紙１２を収容して装填されることにより、ステップ１３４で肯定判定すると、ステップ１３０へ移行し、選択した給紙トレイ３０に対する紙種の設定変更を行う。
【０１０８】
すなわち、記録紙１２が交換されることを予測して行うのではなく、指定された記録紙１２への交換のために給紙トレイ３０の引き出し及び再装填が行われることにより、確実に指定された紙種への切換が行われたと判断して、給紙トレイ３０に対する紙種設定の変更を行う。これにより、紙種設定のための特別な処理や操作を行うことなく、的確な紙種設定の変更を簡単に行うことができる。
【０１０９】
なお、このときには、確認ボタン６２の操作と併せることができる。すなわち、確認ボタン６２の操作確認及び、給紙トレイ３０の抜き差し確認がなされたことにより、記録紙１２が交換されたと判断して、紙種の設定変更を行うようにしても良い。
【０１１０】
一方、紙種設定（紙種の設定変更）には、給紙トレイ３０ごとに紙種の設定確認を可能とするハードキーとして紙種確認ダイアルを設け、この紙種確認ダイアルを併用して、紙種の設定変更を行うこともできる。
【０１１１】
図８に示すように、給紙トレイ３０には、紙種確認ダイアル６４を設けている。この紙種確認ダイアル６２は、給紙トレイ３０を画像形成装置１０のケーシング６６から引き出して、給紙トレイ３０への記録紙１２の補給可能な状態で操作可能となる。
【０１１２】
また、給紙トレイ３０には、紙種確認ダイアル６４に隣接して表示窓６８が設けられている。この表示窓６８には、紙種確認ダイアル６４の操作に応じて、表示される紙種が切り換わるようになっている。
【０１１３】
このような画像形成装置１０では、給紙トレイ３０へ記録紙１２を補給するときに、表示窓６８の表示から、補給する記録紙１２の紙種が適切であるか否か、すなわち、補給する記録紙１２の紙種が給紙トレイ３０の設定にあった適切なものであるか否かの確認が可能となっている。
【０１１４】
画像形成装置１０に設けているプリントコントローラ５２は、給紙トレイ３０が所定位置まで押し込まれて装填されることにより、図示しないコネクタが給紙トレイ３０に接続し、これにより、プリントコントローラ５２が、紙種確認ダイアル６４の操作状態、すなわち、給紙確認ボタン６４によって設定されている紙種の検出が可能となっている。
【０１１５】
図９には、このような紙種確認ダイアル６４を用いた紙種の設定変更の概略を示している。なお、図９のフローチャートでは、図７のフローチャートと同一の処理には、同一のステップ番号を付与してその説明を省略している。
【０１１６】
このフローチャートでは、指定された記録紙１２への交換要求を表示すると、ステップ１３６へ移行し、給紙トレイ３０の紙種確認ダイアル６４（設定確認ボタン）の設定を読み込み、ステップ１３８では、紙種確認ダイアル６４の設定されている紙種が、指定された紙種と一致するか否かを確認する。
【０１１７】
ここで、紙種確認ダイアル６４の設定が、指定された紙種と一致するときには、ステップ１３８で肯定判定してステップ１３０へ移行し、該当する給紙トレイ３０に対する紙種の設定を変更する。
【０１１８】
なお、記録紙１２の交換を行ったときに、紙種確認ダイアル６４が操作されずに、元の紙種を表示しているときには、ステップ１３８で否定判定してステップ１３９へ移行する。このステップ１３９では、給紙トレイ３０に設定されている紙種を変更せず、次に当該給紙トレイ３０に記録紙１２の補給が行われるまでの予め設定した期間の間だけ、今回の指定した紙種に仮設定し、仮設定した紙種に対応するパラメータを用いて画像形成処理を実行するようにしている。
【０１１９】
このように、給紙トレイ３０ごとに設けている紙種確認ダイアル６４を用いることにより、より的確な紙種の設定変更を簡単に行うことができる。なお、紙種確認ダイアル６４が給紙トレイ３０を引き出さなければ操作できないことから、紙種確認ダイアル６４を用いるときには、給紙トレイ３０の抜き出し検出（ステップ１３２，１３４）を省略するものであっても良い。また、紙種確認ダイアル６４の設定と、確認ボタン６２の操作を併用するものであっても良い。
【０１２０】
なお、以上説明した本実施の形態は、本発明の構成を限定するものではなく、本発明は、給紙トレイごとに紙種を設定し、紙種に応じた高品質の画像形成を可能とする任意の構成の画像形成装置に適用することができる。また、画像形成装置としては、給紙用として手差しトレイや、表表紙、バナー用紙、合紙などの特殊用途に使用する記録紙を収容するための給紙トレイを備えたものであっても良いが、これらの特殊用途のトレイへは適用しないようにしてもよい。
【図面の簡単な説明】
【０１２１】
【図１】本実施の形態に適用した画像形成装置を示す概略構成図である。
【図２】画像形成装置の構成の概略を示すブロック図である。
【図３】記録紙の交換要求の一例を示す概略図である。
【図４】印刷処理を行うときの記録紙を取出す給紙トレイの選択の一例を示す流れ図である。
【図５】記録紙の交換要求及び紙種の設定変更を行うときの処理の一例を示す流れ図である。
【図６】（Ａ）及び（Ｂ）のそれぞれは、設定された優先順位に基づいた給紙トレイの選択の概略を示す流れ図である。
【図７】記録紙の交換要求及び紙種の設定変更を行うときの処理の他の一例を示す流れ図である。
【図８】ケーシングから引き出した給紙トレイの要部を示す概略斜視図である。
【図９】記録紙の交換要求及び紙種の設定変更を行うときの処理の他の一例を示す流れ図である。
【符号の説明】
【０１２２】
１０    画像形成装置
１２    記録紙
１４    給紙部
１６    プリントエンジン
３０（３０Ａ〜３０Ｄ）    給紙トレイ
５０    画像処理部
５２    プリントコントローラ
５４    操作パネル（表示手段）
５６    センサ（検出手段）
６０    表示画面
６２    確認ボタン（入力手段、操作検出手段）
６４    紙種確認ダイアル（切換手段）
【図１】
2006027846.tif 000004
【図２】
2006027846.tif 000005
【図３】
2006027846.tif 000006
【図４】
2006027846.tif 000007
【図５】
2006027846.tif 000008
【図６】
2006027846.tif 000009
【図７】
2006027846.tif 000010
【図８】
2006027846.tif 000011
【図９】
2006027846.tif 000012